(57)【特許請求の範囲】
【請求項１】
車両内に設置され、車両の位置を検出し、検出された位置情報に基づいて目的地までの走行経路を案内するとともに、車両内の映像データ又は／及び音声データを記録して送信するナビゲーション装置と、
該ナビゲーション装置から受信した映像データ又は／及び音声データを記録再生する記録再生装置とで構成され、
前記ナビゲーション装置は、前記映像データ又は／及び音声データを記録する際に、乗車者に関する情報、日時に関する情報、目的地に関する情報、該目的地に至る経路に関する情報を取得し、取得した各々の情報を前記映像データ又は／及び音声データとともに関連付けて送信し、
前記記録再生装置は、前記ナビゲーション装置から受信した映像データ又は／及び音声データに関連付けられた、乗車者に関する情報、日時に関する情報、目的地に関する情報、該目的地に至る経路に関する情報から選択される少なくとも一つに基づき、前記映像データ又は／及び音声データを分類して記録し、前記分類された映像データ又は／及び音声データから指定された条件に対応する映像データ又は／及び音声データを読み出して再生し、
前記車両に乗車した人物に関するイベント情報を含む個人的な情報を予め登録し、
前記映像データ又は／及び音声データを前記乗車者に関する情報に基づき分類した場合に、前記映像データ又は／及び音声データに対して前記個人的な情報を関連付けて記録し、
前記乗車者のうちの所定の人物に対応する映像データ又は／及び音声データを再生した際に、該再生した映像データ又は／及び音声データに関連付けられた前記所定の人物の個人的な情報に基づき、前記イベント情報に対応する過去の映像データ又は／及び音声データを再生することを特徴とする画像音声記録再生装置。
【請求項２】
前記ナビゲーション装置又は前記記録再生装置は、話者を特定する話者識別処理により、前記記録した音声データに含まれる発声から前記車両に乗車した人物を特定して、前記乗車者に関する情報を取得することを特徴とする請求項１に記載の画像音声記録再生装置。
【発明の詳細な説明】
【技術分野】
【０００１】
本発明は、自動車等の車両内の画像／音声を記録再生する装置であって、タイムカプセルのように機能させることのできる画像音声記録再生装置に関する。
【背景技術】
【０００２】
カーナビゲーションシステムは、例えば特許文献１に記載のように、セットした目的地までの走行経路をディスプレイに表示したり、自動車が走行した経路を保存し、その経路をディスプレイに表示することができる。
【０００３】
また、特許文献２には、カーナビゲーションシステムとデジタルカメラを利用し、画像合成表示手段により、ハードディスクに記録させた旅行期間中に乗車していた車両の画像データを読み出し、経路データにおける現在地を示す車両シンボルに対して合成することで、ユーザが容易に旅行当時の思い出を想起することができるように、旅行中に乗車していた車両や、一緒に旅行したメンバーの情報を表示するナビゲーションアルバムシステムが開示されている。
【先行技術文献】
【特許文献】
【０００４】
【特許文献１】特開２００２−８１９５５号公報
【特許文献２】特開２００６−３８５１４号公報
【発明の概要】
【発明が解決しようとする課題】
【０００５】
上記特許文献２に記載のナビゲーションアルバムシステムによれば、ユーザが容易に旅行当時の思い出を想起することができるが、経路データにおける現在地を示す車両シンボルに対して合成する画像データは、乗車者等が自ら撮影するため手間が掛かるなどの問題があった。
【０００６】
そこで、本発明は、ユーザがさらに容易に旅行当時の思い出を想起することができるとともに、タイムカプセルのように機能させることのできる画像音声記録再生装置を提供することを目的とする。
【課題を解決するための手段】
【０００７】
上記目的を達成するため、本発明は、画像音声記録再生装置であって、車両内に設置され、車両の位置を検出し、検出された位置情報に基づいて目的地までの走行経路を案内するとともに、車両内の映像データ又は／及び音声データを記録して送信するナビゲーション装置と、該ナビゲーション装置から受信した映像データ又は／及び音声データを記録再生する記録再生装置とで構成され、前記ナビゲーション装置は、前記映像データ又は／及び音声データを記録する際に、乗車者に関する情報、日時に関する情報、目的地に関する情報、該目的地に至る経路に関する情報を取得し、取得した各々の情報を前記映像データ又は／及び音声データとともに関連付けて送信し、前記記録再生装置は、前記ナビゲーション装置から受信した映像データ又は／及び音声データに関連付けられた、乗車者に関する情報、日時に関する情報、目的地に関する情報、該目的地に至る経路に関する情報から選択される少なくとも一つに基づき、前記映像データ又は／及び音声データを分類して記録し、前記分類された映像データ又は／及び音声データから指定された条件に対応する映像データ又は／及び音声データを読み出して再生し、前記車両に乗車した人物に関するイベント情報を含む個人的な情報を予め登録し、前記映像データ又は／及び音声データを前記乗車者に関する情報に基づき分類した場合に、前記映像データ又は／及び音声データに対して前記個人的な情報を関連付けて記録し、前記乗車者のうちの所定の人物に対応する映像データ又は／及び音声データを再生した際に、該再生した映像データ又は／及び音声データに関連付けられた前記所定の人物の個人的な情報に基づき、前記イベント情報に対応する過去の映像データ又は／及び音声データを再生することを特徴とする。
【０００８】
そして、本発明によれば、ナビゲーション装置で車両内の映像データ又は／及び音声データを記録するため、乗車者等が自ら撮影する必要がなく手間が省けるとともに、記録再生装置によってナビゲーション装置から受信した映像データ又は／及び音声データを容易に再生することができる。
【０００９】
また、本発明によれば、前記ナビゲーション装置は、前記映像データ又は／及び音声データを記録する際に、乗車者に関する情報、日時に関する情報、目的地に関する情報、該目的地に至る経路に関する情報を取得し、取得した各々の情報を前記映像データ又は／及び音声データとともに関連付けて送信し、前記記録再生装置は、前記ナビゲーション装置から受信した映像データ又は／及び音声データに関連付けられた、乗車者に関する情報、日時に関する情報、目的地に関する情報、該目的地に至る経路に関する情報から選択される少なくとも一つに基づき、前記映像データ又は／及び音声データを分類して記録し、前記分類された映像データ又は／及び音声データから指定された条件に対応する映像データ又は／及び音声データを読み出して再生することができ、所望の映像又は／及び音声をより容易に再生することができる。
また、前記記録再生装置は、前記車両に乗車した人物に関するイベント情報を含む個人的な情報を予め登録し、前記映像データ又は／及び音声データを前記乗車者に関する情報に基づき分類した場合に、前記映像データ又は／及び音声データに対して前記個人的な情報を関連付けて記録し、前記乗車者のうちの所定の人物に対応する映像データ又は／及び音声データを再生した際に、該再生した映像データ又は／及び音声データに関連付けられた前記所定の人物の個人的な情報に基づき、前記イベント情報に対応する過去の映像データ又は／及び音声データを再生することができ、乗車者のうちの所定の人物の個人的な情報に応じたきめ細かな再生を行うことができ、タイムカプセルのように機能させることもできる。
【００１０】
上記画像音声記録再生装置において、前記ナビゲーション装置又は前記記録再生装置は、話者を特定する話者識別処理により、前記記録した音声データに含まれる発声から前記車両に乗車した人物を特定して、前記乗車者に関する情報を取得することができる。
【発明の効果】
【００１２】
以上のように、本発明によれば、ユーザがさらに容易に旅行当時の思い出を想起することができるとともに、タイムカプセルのように機能させることのできる画像音声記録再生装置を提供することが可能となる。
【図面の簡単な説明】
【００１３】
【図１】本発明にかかる画像音声記録再生装置の一実施の形態を示すブロック図である。
【図２】図１の画像音声記録再生装置のナビゲーション装置の構成の一例を示すブロック図である。
【図３】図１の画像音声記録再生装置の記録再生装置の構成の一例を示すブロック図である。
【図４】図２のナビゲーション装置における処理の流れを示すフローチャートである。
【図５】図３の記録再生装置における記録処理の流れを示すフローチャートである。
【図６】図３の記録再生装置における再生処理の流れを示すフローチャートである。
【発明を実施するための形態】
【００１４】
次に、発明を実施するための形態について、図面を参照しながら詳細に説明する。ここでは、本発明にかかる画像音声記録再生装置を自動車等の車両に適用した場合を例にとって説明する。
【００１５】
図１は、本発明にかかる画像音声記録再生装置の一実施の形態を示し、この画像音声記録再生装置１は、インターネット等のネットワーク４を介して接続されるナビゲーション装置２と、記録再生装置３とで構成される。
【００１６】
ナビゲーション装置２は、例えば自動車の車内に設置され、車両の位置を検出し、検出された位置情報に基づき、ユーザによって指定された目的地までの走行経路を案内する。また、ナビゲーション装置２は、車内の映像データ及び音声データを取得するとともに、映像データ及び音声データを取得した際の日時や目的地、走行経路、乗車者等に関する情報を取得する。そして、取得した映像データ及び音声データと各種情報とを関連付け、ネットワーク４を介して所定のタイミングで記録再生装置３に転送する。
【００１７】
記録再生装置３は、例えばユーザの自宅や会社などに設置されたＰＣ（Personal Computer）やサーバであり、受信した映像データ及び音声データを、関連付けられた情報に基づき分類して記録する。
【００１８】
図２は、図１に示すナビゲーション装置２の構成の一例を示す。図２に示すように、ナビゲーション装置２は、大別して、撮像部１１と、音声入力部１２と、記録部１３と、通信部１４と、表示部１５と、操作部１６と、ＧＰＳ（Global Positioning System）アンテナ１７と、ＧＰＳ受信部１８と、時計１９と、制御部２０とで構成される。
【００１９】
撮像部１１は、例えばビデオカメラであり、ＣＣＤ（Charge Coupled Devices）やＣＭＯＳ（Complementary Metal-Oxide Semiconductor）イメージセンサ等の撮像素子に受光された光を撮像信号に変換する。そして、この撮像信号に対してガンマ補正やホワイトバランス調整といった所定の信号処理を施し、映像データを生成して出力する。尚、撮像部１１からは撮像信号を出力し、後述の制御部２０で撮像信号に対して所定の信号処理を行うようにしてもよい。
【００２０】
音声入力部１２は、例えばマイクロフォンであり、周囲の音声を収音し、音声データとして出力する。
【００２１】
記録部１３は、例えばＨＤＤ（Hard Disc Drive）やフラッシュメモリであり、地図データを記録するとともに、撮像部１１から出力された映像データ及び音声入力部１２から出力された音声データが記録される。尚、以下では、映像データ及び音声データを総称して、ＡＶ（Audio/Video）データと略称する。また、記録部１３には、後述の音声データの解析に必要な、人物の発声の特徴を示す情報が予め記録されている。
【００２２】
通信部１４は、所定のプロトコルに従って記録再生装置３との無線通信を行い、後述の制御部２０による制御に基づき、記録部１３に記録されたＡＶデータをネットワーク４を介して記録再生装置３に送信する。
【００２３】
表示部１５は、例えばＬＣＤ（Liquid Crystal Display）からなり、地図画面やメニュー画面等を表示する。表示部１５としては、例えば、ＬＣＤ上にタッチセンサを有するタッチパネルが積層されたタッチパネルディスプレイを用いることができる。
【００２４】
操作部１６は、このナビゲーション装置２をユーザが操作するための操作子が所定に設けられ、操作子に対する操作に応じた制御信号を出力する。操作子としては、例えば、ナビゲーション装置２の電源をＯＮ／ＯＦＦするための電源キーや、現在地から目的地までの案内を設定するためのキー等が設けられる。これらの各種キーは、例えば、ナビゲーション装置２の筐体にハードウェアキーとして設けるようにしてもよいし、表示部１５がタッチパネルディスプレイの場合には、各種キーがソフトウェアキーとして表示部１５に表示されるようにしてもよい。
【００２５】
ＧＰＳ受信部１８は、ＧＰＳ衛星からのＧＰＳ信号をＧＰＳアンテナ１７を介して受信する。時計１９は、例えば、水晶振動子の発振周波数に基づき、ナビゲーション装置２の現在の時刻情報を生成することができる。時計１９は、図示されないバッテリーにより常時駆動されている。
【００２６】
制御部２０は、このナビゲーション装置２の全体を制御し、入力制御部２１と、表示制御部２２と、ナビゲーション処理部２３と、撮像・収音制御部２４と、記録制御部２５と、情報取得部２６と、通信制御部２７とを有する。
【００２７】
入力制御部２１は、操作部１６から供給されるユーザの操作に応じた制御信号に基づき入力内容や選択内容を判別し、操作信号を出力する。表示制御部２２は、表示部１５への画像表示を制御する。例えば、表示制御部２２は、記録部１３から地図データを読み出して地図画像を生成したり、操作部１６に対するユーザ操作に応じて表示部１５の表示画面を切り替える処理等を行う。
【００２８】
ナビゲーション処理部２３は、ＧＰＳ受信部１８で受信したＧＰＳ信号に基づき、車両の位置（緯度、経度）を示す位置情報を取得し、位置情報が示す現在位置に対応する地図データを記録部１３から読み出して表示部１５に対して表示させるとともに、表示された地図データ上に車両の位置を表示させる処理を行う。また、ユーザが操作部１６を操作することによって目的地が設定された場合には、現在地から目的地までの走行経路を地図データから抽出し、表示部１５に表示された地図データ上に表示させる処理を行う。
【００２９】
撮像・収音制御部２４は、撮像部１１及び音声入力部１２による撮像及び収音の開始／終了を制御する。撮像・収音制御部２４は、例えば、ナビゲーション装置２の電源ＯＮや、車両のエンジンのスタートを検出した場合等に撮像及び収音を開始し、ナビゲーション装置２の電源ＯＦＦや、車両のエンジンのストップを検出した場合等に撮像及び収音を終了する。
【００３０】
記録制御部２５は、撮像及び収音により得られたＡＶデータの記録部１３に対する記録を制御する。情報取得部２６は、ＡＶデータを撮像及び収音した際の状況が判断できる情報を取得し、この情報をＡＶデータに関連付ける処理を行う。通信制御部２７は、記録部１３に記録されたＡＶデータを通信部１４に供給し、通信部１４における通信制御を行う。
【００３１】
ここで、ＡＶデータに関連付けられる情報について説明する。ＡＶデータに関連付けられる情報は、撮像及び収音した際の状況が判断できる情報であり、具体的には、例えば、日時情報、目的地情報、経路情報及び乗車者情報である。
【００３２】
日時情報は、ＡＶデータを撮像及び収音した日時を示す情報であり、時計１９から出力された時刻情報により取得することができる。目的地情報は、目的地を示す情報であり、ユーザにより設定された目的地に基づき取得することができる。経路情報は、現在地から目的地まで車両が走行した経路を示す情報であり、ユーザにより設定された目的地までの走行経路に基づき取得することができる。乗車者情報は、その車両に乗車した人、すなわち運転者と同乗者に関する情報であり、例えば収音された音声データを解析することにより取得することができる。具体的には、例えば音声データに含まれる発声から話者を特定する話者識別処理を行い、車両に乗車した人物を特定する。
【００３３】
図３は、図１に示す記録再生装置３の構成の一例を示す。図３に示すように、記録再生装置３は、大別して、通信部３１と、記録部３２と、操作部３３と、時計３４と、制御部３５とで構成される。
【００３４】
通信部３１は、所定のプロトコルに従ってナビゲーション装置２との無線通信を行い、ネットワーク４を介してナビゲーション装置２からＡＶデータを受信する。
【００３５】
記録部３２は、例えばＨＤＤやフラッシュメモリであり、後述の制御部３５によりＡＶデータが所定に分類されて記録される。例えば、記録部３２は、分類に応じてフォルダが作成され、分類されたＡＶデータが分類結果に応じて対応するフォルダに格納される。また、記録部３２には、例えば年齢や生年月日など、所定の人物の個人的な情報を示す人物情報が予め記録されている。
【００３６】
操作部３３は、この記録再生装置３をユーザが操作するための操作子が所定に設けられ、操作子に対する操作に応じた制御信号を出力する。操作子としては、例えば、ＡＶデータの再生や停止を行うためのキー等が筐体にハードウェアキーとして設けられる。また、操作部３３として、赤外線通信や無線通信を利用したリモートコントローラや、マウス、キーボード等を用いることもできる。
【００３７】
時計３４は、例えば、水晶振動子の発振周波数に基づき、記録再生装置３の現在の時刻情報を生成することができる。時計３４は、バッテリー（不図示）により常時駆動されている。
【００３８】
制御部３５は、この記録再生装置３の全体を制御し、通信制御部４１と、データ分類処理部４２と、記録制御部４３と、再生制御部４４とを有する。通信制御部４１は、通信部３１における通信制御を行い、通信部３１で受信したＡＶデータを受け取る。データ分類処理部４２は、ナビゲーション装置２から受信したＡＶデータに関連付けられた情報（日時情報、目的地情報、経路情報、乗車者情報）に基づきＡＶデータを分類する。
【００３９】
記録制御部４３は、通信部３１で受信したＡＶデータの記録部３２への記録を制御する。ＡＶデータを記録部３２に記録する場合、記録制御部４３は、分類結果に基づき対応する記録部３２のフォルダに記録する。
【００４０】
再生制御部４４は、記録部３２に記録されたＡＶデータの再生を制御する。再生制御部４４は、記録部３２からＡＶデータを読み出し、外部に出力する。外部には、テレビジョン受像機やモニタ装置などの表示装置が接続され、映像の表示や音声の出力が行われる。尚、これに限られず、例えば記録再生装置３に表示部を設けてもよい。
【００４１】
次に、上記構成を有する画像音声記録再生装置１の動作について説明する。
【００４２】
ここでは、まず、ナビゲーション装置２の動作について、図４を参照しながら説明する。図４は、本発明にかかるナビゲーション装置２による処理の流れを示すフローチャートである。尚、特別な記載がない限り、以下の処理は、制御部２０の制御の下で行われるものとする。
【００４３】
ステップＳ１において、ナビゲーション装置２の電源ＯＮ、又はこのナビゲーション装置２が搭載された車両のエンジンのスタートを検出したか否かが判断される。ナビゲーション装置２の電源ＯＮ、又はエンジンのスタートが検出された場合には、処理がステップＳ２に移行する。一方、ナビゲーション装置２の電源ＯＮ、又はエンジンのスタートが検出されなかった場合には、処理がステップＳ１に戻る。
【００４４】
ステップＳ２では、記録部１３にＡＶデータが記録されているか否かが判断される。記録部１３にＡＶデータが記録されていない場合には、撮像部１１及び音声入力部１２による撮像及び収音が開始される（ステップＳ４）。一方、記録部１３にＡＶデータが記録されている場合には、通信部１４を介してＡＶデータが記録再生装置３に転送され（ステップＳ３）、処理がステップＳ４に移行する。
【００４５】
撮像及び収音が開始されると、制御部２０は、時計１９からの時刻情報に基づき、撮像及び収音を開始した日時を示す日時情報を取得する（ステップＳ５）。
【００４６】
次に、ユーザがナビゲーション装置２の操作部１６を操作することにより目的地が設定されると、制御部２０は、ＧＰＳ受信部１８からのＧＰＳ信号に基づき位置情報を取得し、現在地から目的地までの走行経路を設定する。そして、記録部１３から地図データが読み出され、対応する地図データとともに設定された走行経路が表示部１５に表示される（ステップＳ６）。
【００４７】
このとき、制御部２０は、設定された目的地及び走行経路に基づき、目的地情報及び経路情報を取得する（ステップＳ７）。また、制御部２０は、収音されて得られる音声データを解析することにより車両に乗車している人物を特定し、車両に乗車する人物を示す乗車者情報を取得する（ステップＳ８）。尚、音声データの解析及び乗車者情報の取得は、撮像及び収音している間、例えば所定時間毎に得られる音声データに対して継続的に行われる。
【００４８】
ここで、音声データの解析方法について概略的に説明する。音声データの解析には、例えば、音声データに含まれる発声から話者を特定する話者識別処理を適用することができる。話者識別処理では、まず、特定の話者の発声が含まれた音声データからその話者の特徴を予め抽出しておき、テンプレートとして記録部１３に記録させておく。そして、音声入力部１２により収音された音声データを解析することによって特徴を抽出し、抽出された特徴と記録部１３に記録されているテンプレートに含まれる特徴とを比較することにより、話者を特定することができる。
【００４９】
ステップＳ９では、ナビゲーション装置２の電源ＯＦＦ、又はエンジンのストップが検出されたか否かを判断する。ナビゲーション装置２の電源ＯＦＦ、又はエンジンのストップが検出された場合には、処理がステップＳ１０に移行し、撮像部１１及び音声入力部１２による撮像及び収音が終了する。一方、ナビゲーション装置２の電源ＯＦＦ、又はエンジンのストップが検出されなかった場合には、処理がステップＳ９に戻る。
【００５０】
撮像及び収音が終了すると、得られたＡＶデータに対して各種情報（日時情報、目的地情報、経路情報、乗車者情報）が関連付けられ（ステップＳ１１）、記録部１３に記録される（ステップＳ１２）。そして、処理がステップＳ１に戻り、ステップＳ１からステップＳ１２までの処理が巡回的に繰り返し行われる。
【００５１】
尚、上述の例では、ステップＳ８における音声データの解析及び乗車者情報の取得処理を、収音中に継続的に行うように説明したが、これはこの例に限られない。例えば、ステップＳ１０における撮像及び収音を終了した後に、音声データの解析及び乗車者情報の取得処理を行ってもよい。
【００５２】
次に、記録再生装置３の動作について、図５及び図６を参照しながら説明する。
【００５３】
まず、記録再生装置３によるＡＶデータの記録処理について、図５を参照しながら説明する。図５は、本発明にかかる記録再生装置３による記録処理の流れを示すフローチャートである。尚、特別な記載がない限り、以下の処理は、制御部３５の制御の下で行われるものとする。
【００５４】
ネットワーク４を介してナビゲーション装置２からＡＶデータを受信すると（ステップＳ２１）、制御部３５は、受信したＡＶデータから、関連付けられた各種情報（日時情報、目的地情報、経路情報、乗車者情報）を抽出し（ステップＳ２２）、抽出された情報に基づきＡＶデータを分類する（ステップＳ２３）。
【００５５】
ここで、図５に示すステップＳ２３によるＡＶデータの分類方法について説明する。
【００５６】
ＡＶデータの分類は、操作部３３に対するユーザ操作により任意に設定され、日時による分類、旅行やドライブなどのイベントによる分類、乗車している人物による分類など、様々な分類が考えられる。このような場合、制御部３５は、ユーザ設定に基づき、ＡＶデータに関連付けられた各種情報から分類に適した情報を参照して、ＡＶデータを分類する。例えば、ＡＶデータに関連付けられた情報が日時情報、目的地情報、経路情報及び乗車者情報である場合において、ＡＶデータを日時毎に分類する場合には、日時情報を参照し、イベント毎に分類する場合には、目的地情報及び／又は経路情報を参照する。また、例えば、ＡＶデータを人物毎に分類する場合には、乗車者情報を参照する。
【００５７】
尚、ＡＶデータを分類する際には、これらの複数の分類のうち一つの分類を選択してもよいし、複数の分類方法を組み合わせてもよい。例えば、日時情報及び乗車者情報を参照し、ＡＶデータを日時及び人物で分類するようにしても良い。
【００５８】
図５に戻り、ステップＳ２３でＡＶデータが分類されると、制御部３５は、分類結果に基づきＡＶデータを記録部３２に記録する（ステップＳ２４）。記録部３２には、ユーザにより設定された分類に対応するフォルダが作成され、ＡＶデータが記録される。例えば、ユーザにより日時毎に分類するように設定された場合には、記録部３２に日付を名称として付したフォルダが作成される、イベント毎に分類するように設定された場合には、イベントや目的地を名称として付したフォルダが作成される。また、例えば、ユーザにより人物別に分類するように設定された場合には、人物名を名称として付したフォルダが作成される。そして、各々の名称に対応するＡＶデータが各フォルダに記録される。
【００５９】
ところで、ナビゲーション装置２を搭載した車内には、複数の人物が存在することが考えられる。そのため、ＡＶデータを解析することにより、１つのＡＶデータから複数の人物が特定されることになる。すなわち、ＡＶデータを人物別に分類した場合には、１つのＡＶデータが複数の人物に対応付けられる。
【００６０】
そこで、このような場合には、特定された複数の人物に対応する各々のフォルダに対して、このＡＶデータを格納する。例えば、ＡＶデータを人物別に分類する場合において、ＡＶデータから人物Ａ、人物Ｂ及び人物Ｃの３人が特定されたときには、人物Ａ、人物Ｂ及び人物Ｃの各々のフォルダにＡＶデータが格納される。
【００６１】
次に、記録再生装置３によるＡＶデータの再生処理について、図６を参照しながら説明する。本発明にかかる記録再生装置３では、ユーザが操作部３３を操作することにより、再生する映像及び／又は音声の条件が指定された場合に、指定された条件に対応するＡＶデータを記録部３２から読み出して再生する。
【００６２】
図６は、本発明にかかる記録再生装置３による再生処理の流れを示すフローチャートである。尚、特別な記載がない限り、以下の処理は、制御部３５の制御の下で行われるものとする。ユーザにより条件が指定されると（ステップＳ３１）、制御部３５は、記録部３２に記録されたＡＶデータの中から、条件に対応するＡＶデータを検索する（ステップＳ３２）。
【００６３】
このとき、ユーザによって指定される条件は、例えば、記録の際の分類に基づき行われる。例えば、ＡＶデータが日時によって分類されている場合には、条件として日時が指定され、イベントによる分類がなされている場合には、条件としてイベントや目的地が指定される。また、例えば、人物による分類がなされている場合には、条件として人物名が指定される。
【００６４】
制御部３５は、指定された条件に基づき、記録部３２のフォルダを参照し、条件に応じたフォルダに格納されたＡＶデータを読み出す（ステップＳ３３）。例えば、制御部３５は、撮像及び収音された日時や、イベント、特定の人物名などがユーザによって指定されると、指定された条件に基づき、記録部３２内の対応するフォルダに格納されたＡＶデータを読み出す。そして、制御部３５は、読み出されたＡＶデータを外部の再生装置に対して出力し（ステップＳ３４）、一連の処理を終了する。尚、再生方法としては、上述した再生方法に限らず、例えば、ユーザがＡＶデータを直接的に指定することによって再生を行うようにしてもよい。
【００６５】
また、記録再生装置３では、人物の個人情報に基づき映像及び／又は音声を再生することもできる。例えば、ＡＶデータを人物毎に分類した場合には、各々の人物の誕生日や年齢などの個人情報を予め登録しておき、ＡＶデータを記録部３２に記録する際に、この個人情報とＡＶデータとを関連付ける。
【００６６】
そして、この個人情報を利用し、例えば、所定の人物の誕生日以降に初めて再生処理を行った場合には、その誕生日に対応する過去のＡＶデータを読み出して出力する。これにより、例えば、ＡＶデータを再生する際には、「お誕生日おめでとう！」や「○○さんの５歳の映像／音声です。」といった表示とともに、映像及び／又は音声を再生することもできる。
【００６７】
また、例えば、子供が小学校６年生の時の車での家族温泉旅行や、子供が小学校３年生の時の車での家族スキー旅行等の時に、自動的に録音録画された車内の様子や音声とともに、今まで忘れていた細かいことも思い出してリアルなその時を想起することができる。
【００６８】
尚、ここでは、記録再生装置３による記録及び再生動作について説明したが、記録再生装置３による動作としては、これ以外に、記録されたＡＶデータを削除したり、ＡＶデータの編集等を行うことも可能である。
【００６９】
また、上述の例では、乗車者情報の取得をナビゲーション装置２によって行うように説明したが、これに限らず、例えば記録再生装置３側で行ってもよい。具体的には、例えば、記録再生装置３は、人物の発声の特徴を示す情報を記録部３２に予め登録しておき、この情報に基づいて、受信したＡＶデータに含まれる音声データの解析を行い、乗車者情報を取得する。これにより、ナビゲーション装置２側での処理にかかる負荷を軽減することができる。
【符号の説明】
【００７０】
１  画像音声記録再生装置
２  ナビゲーション装置
３  記録再生装置
４  ネットワーク
１１  撮像部
１２  音声入力部
１３  記録部
１４  通信部
１５  表示部
１６  操作部
１７  ＧＰＳアンテナ
１８  ＧＰＳ受信部
１９  時計
２０  制御部
２１  入力制御部
２２  表示制御部
２３  ナビゲーション処理部
２４  撮像・収音制御部
２５  記録制御部
２６  情報取得部
２７  通信制御部
３１  通信部
３２  記録部
３３  操作部
３４  時計
３５  制御部
４１  通信制御部
４２  データ分類処理部
４３  記録制御部
４４  再生制御部
【図１】
0005478462.tif 000002
【図２】
0005478462.tif 000003
【図３】
0005478462.tif 000004
【図４】
0005478462.tif 000005
【図５】
0005478462.tif 000006
【図６】
0005478462.tif 000007